【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
セルラー移動電話機のようなリモート端末の送信電力を所定の電力範囲において監視する方法であって、
前記送信電力は、前記リモート端末によって受信される電力情報アイテムに応じて調整され、
前記リモート端末は、前記電力範囲をカバーすることができる可変利得の増幅手段（ＭＡＧＶ）を備えており、
前記増幅手段の利得の値および供給電圧の値は、前記電力情報アイテム（ＴＰＣ）に応じて調整される、
方法。
【請求項２】
前記増幅手段は、一緒になって全電力範囲をカバーすることができ、かつ異なる２つの特定動作ゾーンと共通動作ゾーン（ＺＦＣ）とをそれぞれが有する、個別に選択可能な少なくとも２つの電力増幅器（ＰＡ１、ＰＡ２）を備えており、
前記電力増幅器のうちの１つは、前記電力範囲の各ポイントに関連付けられており、
前記共通動作ゾーンのポイントに対応する前記電力情報アイテム（ＴＰＣ）が受信された場合、該電力情報アイテムが、現在選択されている前記電力増幅器に対応するかどうかを検証するためのチェックが行われ、対応しない場合は、該電力情報アイテムに関連付けられた前記電力増幅器が選択され、該選択された電力増幅器の供給電圧の値が、該電力情報アイテムに応じて調整される、
請求項１に記載の方法。
【請求項３】
前記電力増幅器のうちの少なくとも１つは、可変利得を有しており、
前記選択された電力増幅器の利得の値は、前記電力情報アイテムに応じて調整される、請求項２に記載の方法。
【請求項４】
前記増幅手段は、一緒になって全電力範囲をカバーすることができ、かつ異なる２つの特定動作ゾーンと共通動作ゾーン（ＺＦＣ）とをそれぞれが有する、個別に選択可能な少なくとも２つの電力増幅器（ＰＡ１、ＰＡ２）を備えており、
前記電力増幅器のうちの１つは、前記電力範囲の各ポイントに関連付けられており、
前記共通動作ゾーンのポイントに対応する電力情報アイテム（ＴＰＣ）が受信された場合、該電力情報アイテムが、現在選択されている前記電力増幅器に対応するかどうかを検証するためのチェックが行われ、対応しない場合は、該電力情報アイテムを受信した時点から、前記共通動作ゾーンの限界に適合する所定の持続時間にわたって広がる切り換え時間範囲（ＰＣＭ）が規定され、送信を割り込むための所定の基準（ＣＲＦ）に応じて、該切り換え時間範囲に割り込み時間範囲（ＰＩＴ）の時間的限界が規定され、
現在選択されている前記電力増幅器で送信電力を調節することは、受信される新しい電力情報アイテムに基づいて、前記割り込み時間範囲が発生するまで継続され、
前記割り込み時間範囲の発生前に受信された最後の電力情報アイテムが、前記現在選択されている電力増幅器になお対応しない場合は、前記割り込み時間範囲中の送信がディスエーブルされ、該最後の電力情報アイテムに関連付けられた電力増幅器が選択され、該新たに選択された電力増幅器で送信が再活動化される、
請求項１に記載の方法。
【請求項５】
前記電力増幅器のうちの少なくとも１つは、可変利得を有しており、
前記選択された電力増幅器の利得の値は、前記電力情報アイテムに応じて調整される、
請求項４に記載の方法。
【請求項６】
送信される情報は、フラグメントで形成されると共に、所定数の間隔（ＳＬｉ）にそれぞれ細分された連続的なフレーム内で搬送され、
前記切り換え時間範囲（ＰＣＭ）の持続時間は、たとえば４から８個の数個のオーダーの間隔であり、
前記割り込み時間範囲（ＰＩＴ）の持続時間は、たとえば２から４個の数個のオーダーのフラグメントである、
請求項４または５に記載の方法。
【請求項７】
前記送信割り込み基準（ＣＲＦ）は、送信中に発生するかもしれない所定の特定イベントであって、該特定イベントの発生中に送信が割り込まれたならばバイナリ誤り率に所定の影響を与える該特定イベントの少なくとも１つの選択を含んでおり、
前記所定の特定イベントが前記切り換え時間範囲内に存在するかどうかを検出するようなやり方で送信特性が分析され、該特定イベントが存在する場合は、該特定イベントの発生中に前記割り込み時間範囲（ＰＩＴ）が設けられる、
請求項４から６のいずれかに記載の方法。
【請求項８】
前記送信割り込み基準は、送信中に発生するかもしれないいくつかの所定の特定イベントのグループの選択と、該特定イベントの発生中に送信が割り込まれたならば、それぞれがバイナリ誤り率に与える影響に応じた所定の優先順位による該特定イベントの順序付けと、を含んでおり、
前記優先順位を考慮し、前記グループの所定の特定イベントが前記切り換え時間範囲（ＰＣＭ）中に存在するかどうかを検出するようなやり方で送信特性が分析され、
前記割り込み時間範囲（ＰＩＴ）は、前記優先順位で検出された第１の特定イベントの発生中に設けられる、
請求項７に記載の方法。
【請求項９】
送信される情報は、データおよび監視標示を有しており、かつ、所定数の間隔にそれぞれ細分された連続的なフレーム内で搬送され、
該監視標示は、フィードバック情報（ＦＢＩ）およびトランスポート・フォーマット・コンビネーション・インジケータ（ＴＦＣＩ）を含んでおり、
前記特定イベントのグループは、優先順位の高い順に、
ａ）圧縮送信モード中の空の間隔（ＴＰＧ）と、
ｂ）ゲート式送信モードにおける、送信を中断しなければならない間隔と、
ｃ）不連続送信モードにおける、フィードバック情報（ＦＢＩ）もトランスポート・フォーマット・コンビネーション・インジケータ（ＴＦＣＩ）も送信されないサイレンス間隔（ＩＮＳ）の部分（Ｐ１ＩＮＳ、Ｐ２ＩＮＳ）と、
ｄ）拡散率の高いデータは送信されるが、フィードバック情報（ＦＢＩ）もトランスポート・フォーマット・コンビネーション・インジケータ（ＴＦＣＩ）も送信されない間隔の部分と、
ｅ）拡散率の低いデータは送信されるが、フィードバック情報（ＦＢＩ）もトランスポート・フォーマット・コンビネーション・インジケータ（ＴＦＣＩ）も送信されない間隔の部分と、
ｆ）フィードバック情報（ＦＢＩ）またはトランスポート・フォーマット・コンビネーション・インジケータ（ＴＦＣＩ）が送信される間隔の部分と、
で構成される、
請求項８に記載の方法。
【請求項１０】
受信回路、送信回路、該送信回路とアンテナとの間に接続された電力増幅段、および、該受信回路によって定期的に受信される電力情報アイテムに応じて該電力増幅段の出力電力を調節することができる処理段を備える、無線通信システムのリモート端末であって、
前記電力増幅段は、電力範囲をカバーすることができる可変利得の増幅手段（ＭＡＧＶ）を有しており、
前記処理段は、前記電力情報アイテムに応じて前記増幅手段の利得の値および供給電圧の値を調整することができる、
リモート端末。
【請求項１１】
前記増幅手段は、一緒になって全電力範囲をカバーすることができ、かつ異なる２つの特定動作ゾーンと共通動作ゾーンとをそれぞれが有する、個別に選択可能な少なくとも２つの電力増幅器（ＰＡ１、ＰＡ２）を有しており、
前記電力増幅段は、さらに、選択情報アイテムに応答して、該選択情報アイテムに対応する前記電力増幅器の入力に前記送信回路の出力を接続することのできる選択手段（ＭＷＳ）を有しており、
前記処理段（ＥＴＮＥ）は、
ａ）前記電力範囲の各ポイントに前記電力増幅器のうちの１つを関連付ける対応テーブル（ＭＭ）と、
ｂ）前記共通動作ゾーンのポイントに対応する電力情報アイテムが受信された場合、該電力情報アイテムが、現在選択されている前記電力増幅器に対応するかどうかを検証する監視手段（ＭＣＴ）と、
ｃ）前記電力情報アイテムが、前記現在選択されている電力増幅器に対応しない場合、該電力情報アイテムに関連付けられた電力増幅器に対応する選択情報アイテムを前記選択手段に配信する制御手段と、を有しており、
前記制御手段は、前記選択された電力増幅器の供給電圧の値を調整することができる、
請求項１０に記載のリモート端末。
【請求項１２】
前記電力増幅器のうちの少なくとも１つは、可変利得を有しており、
前記制御手段は、前記選択された電力増幅器の利得の値を前記電力情報アイテムに応じて調整することができる、
請求項１１に記載のリモート端末。
【請求項１３】
前記増幅手段は、一緒になって全電力範囲をカバーすることができ、かつ異なる２つの特定動作ゾーンと共通動作ゾーンとをそれぞれが有する、個別に選択可能な少なくとも２つの電力増幅器（ＰＡ１、ＰＡ２）と、選択情報アイテムに応答して該選択情報アイテムに対応する電力増幅器の入力に前記送信回路の出力を接続することのできる選択手段（ＭＷＳ）とを有しており、
前記処理段（ＥＴＮＥ）は、
ａ）前記電力範囲の各ポイントに前記電力増幅器のうちの１つを関連付ける対応テーブル（ＭＭ）と、
ｂ）前記共通動作ゾーンのポイントに対応する電力情報アイテムが受信された場合、該電力情報アイテムが、現在選択されている前記電力増幅器に対応するかどうかを検証し、対応しない場合は、該電力情報アイテムを受信した時点から、前記共通動作ゾーンの限界に適合する所定の持続時間にわたって広がる切り換え時間範囲（ＰＣＭ）を規定し、送信を割り込むための所定の基準（ＣＲＦ）に応じて、該切り換え時間範囲に割り込み時間範囲（ＰＩＴ）の時間的限界を規定する監視手段（ＭＣＴ）と、
ｃ）前記現在選択されている電力増幅器で送信電力を調節することを、受信される新しい電力情報アイテムに基づいて、前記割り込み時間範囲が発生するまで継続するのを許可することができ、該割り込み時間範囲の発生前に受信された最後の電力情報アイテムが、前記現在選択されている電力増幅器になお対応しない場合は、該割り込み時間範囲中の送信をディスエーブルし、該最後の電力情報アイテムに関連付けられた電力増幅器に対応する選択情報アイテムを前記選択手段に配信し、該新たに選択された電力増幅器で送信を再活動化させることができる制御手段（ＭＣＤ）と、を備えており、
前記制御手段は、前記選択された電力増幅器の供給電圧の値を調整することができる、
請求項１０に記載のリモート端末。
【請求項１４】
前記電力増幅器のうちの少なくとも１つは、可変利得を有しており、
前記制御手段は、前記選択された電力増幅器の利得の値を、前記電力情報アイテムに応じて調整することができる、
請求項１３に記載のリモート端末。
【請求項１５】
送信される情報は、フラグメントで形成されると共に、所定数の間隔にそれぞれ細分された連続的なフレーム内で搬送され、
前記切り換え時間範囲（ＰＣＭ）の持続時間は、たとえば４から８個の数個のオーダーの間隔であり、前記割り込み時間範囲（ＰＩＴ）の持続時間は、たとえば２から４個の数個のオーダーのフラグメントである、
請求項１３または１４に記載の端末。
【請求項１６】
前記送信割り込み基準（ＣＲＦ）は、送信中に発生するかもしれない所定の特定イベントであって、該特定イベントの発生中に送信が割り込まれたならばバイナリ誤り率に所定の影響を与える該特定イベントの少なくとも１つの選択を含み、
前記監視手段は、前記所定の特定イベントが前記切り換え時間範囲内に存在するかどうかを検出するようなやり方で送信特性を分析し、該特定イベントが存在する場合、該特定イベントの発生中に前記割り込み時間範囲を設ける、
請求項１３から１５のいずれかに記載のリモート端末。
【請求項１７】
前記送信割り込み基準は、送信中に発生するかもしれないいくつかの所定の特定イベントのグループの選択と、該特定イベントの発生中に送信が割り込まれたならば、それぞれがバイナリ誤り率に与える影響に応じた所定の優先順位による該特定イベントの順序付けとを含み、
前記監視手段は、前記優先順位を考慮し、前記グループの所定の特定イベントが前記切り換え時間範囲中に存在するかどうかを検出するようなやり方で、送信特性を分析し、
前記監視手段は、前記優先順位で検出された第１の特定イベントの発生中に前記割り込み時間範囲を設ける、
請求項１６に記載のリモート端末。
【請求項１８】
送信される情報は、データおよび監視標示を有しており、かつ、所定数の間隔にそれぞれ細分される連続的なフレーム内で搬送され、
該監視標示は、フィードバック情報（ＦＢＩ）およびトランスポート・フォーマット・コンビネーション・インジケータ（ＴＦＣＩ）を含んでおり、
前記特定イベントのグループは、優先順位の高い順に、
ａ）圧縮送信モード中の空の間隔と、
ｂ）ゲート式送信モードにおける、送信を中断しなければならない間隔と、
ｃ）不連続送信モードにおける、フィードバック情報（ＦＢＩ）もトランスポート・フォーマット・コンビネーション・インジケータ（ＴＦＣＩ）も送信されないサイレンス間隔の部分と、
ｄ）拡散率の高いデータは送信されるが、フィードバック情報（ＦＢＩ）もトランスポート・フォーマット・コンビネーション・インジケータ（ＴＦＣＩ）も送信されない間隔の部分と、
ｅ）拡散率の低いデータは送信されるがフィードバック情報（ＦＢＩ）もトランスポート・フォーマット・コンビネーション・インジケータ（ＴＦＣＩ）も送信されない間隔の部分と、
ｆ）フィードバック情報（ＦＢＩ）またはトランスポート・フォーマット・コンビネーション・インジケータ（ＴＦＣＩ）が送信される間隔の部分と、で構成される、
請求項１７に記載のリモート端末。
【請求項１９】
前記電力増幅段は、前記増幅手段の調整可能な供給電圧を配信することのできる制御可能なチョップ型電源を備える、
請求項１０から１８のいずれかに記載のリモート端末。
【請求項２０】
可変利得の前記増幅手段によって送られる電力を、前記増幅手段の出力に存在する信号と、前記リモート端末によって受信されるプリセット電力情報アイテムとに基づいて監視することのできる手段（ＭＣＰＳ）を備える、
請求項１０から１９のいずれかに記載のリモート端末。
【請求項２１】
前記リモート端末は、セルラー移動電話機である、
請求項１０から２０のいずれかに記載のリモート端末。